(57)【要約】【課題】電磁スイッチ１において、固定鉄心３と可動鉄心４との誤組付けによる組付け不良率を低減することにある。【解決手段】電磁スイッチ１によれば、固定鉄心３と可動鉄心４とは、同一形状かつ同一寸法の互換可能な同一物であり、ロッド９は、可動接点７により軸振れが規制されている。固定鉄心３と可動鉄心４とを同一物とすることにより、固定鉄心３と可動鉄心４とを誤組付けする虞がなくなるので、組付け不良率を大幅に低減することができる。また、可動接点７によりロッド９の軸振れが規制されるので、可動接点７は、可動鉄心４に連動して軸方向へ円滑に変位することができる。【選択図】図１
2008097893.tif 000002
【特許請求の範囲】
【請求項１】
ソレノイドコイルの内周の軸方向一方側に固定して配される固定鉄心と、
前記ソレノイドコイルの内周に前記固定鉄心よりも軸方向他方側に配され、前記ソレノイドコイルへの通電により軸方向一方側に磁気吸引される可動鉄心と、
前記可動鉄心を軸方向他方側に付勢するリターンスプリングと、
所定の電気回路に接続され、前記可動鉄心の軸方向他方側に固定して配される固定接点と、
この固定接点の軸方向他方側に配され、前記固定接点に離接することで前記電気回路を開閉する可動接点と、
この可動接点を軸方向一方側に付勢する接点圧スプリングと、
前記可動鉄心と前記可動接点との間に配され、前記可動鉄心に作用する前記リターンスプリングの付勢力を前記可動接点に伝達して前記可動接点を軸方向他方側に付勢するロッドとを備え、
前記ソレノイドコイルに通電が行われると、前記可動鉄心が軸方向一方側に変位するとともに、前記可動接点が前記接点圧スプリングに付勢されて軸方向一方側に変位し、前記固定接点に当接して前記電気回路を閉成し、
前記ソレノイドコイルへの通電が停止されると、前記可動鉄心が前記リターンスプリングに付勢されて軸方向他方側に変位するとともに、前記可動接点が前記ロッドに付勢されて軸方向他方側に変位し、前記固定接点から離脱して前記電気回路を開成する電磁スイッチにおいて、
前記固定鉄心と前記可動鉄心とは、同一形状かつ同一寸法の互換可能な同一物であり、
前記ロッドは、前記可動接点により軸振れが規制されていることを特徴とする電磁スイッチ。
【請求項２】
請求項１に記載の電磁スイッチにおいて、
前記ロッドの他端は、段状に設けられるとともに、前記可動接点には穴が設けられ、
前記ロッドは、前記穴に前記ロッドの他端が遊嵌合して前記可動接点に係合することで、前記可動接点により軸振れが規制されていることを特徴とする電磁スイッチ。
【請求項３】
請求項２に記載の電磁スイッチにおいて、
前記可動接点は、内周側に向けてかしめられ、前記ロッドに固着していることを特徴とする電磁スイッチ。
【請求項４】
請求項２に記載の電磁スイッチにおいて、
前記ロッドは、熱可塑性樹脂を素材として設けられ、
前記ロッドの他端は、前記穴を貫通して前記可動接点の軸方向他方側に突出し、
突出した前記ロッドの他端が熱かしめされることで、前記可動接点が前記ロッドに固着していることを特徴とする電磁スイッチ。
【請求項５】
請求項１に記載の電磁スイッチにおいて、
前記ロッドは、熱可塑性樹脂を素材として設けられ、
前記可動接点と前記ロッドとは、インサート成型により一体化されていることを特徴とする電磁スイッチ。
【発明の詳細な説明】
【技術分野】
【０００１】
本発明は、電気回路を開閉する電磁スイッチに関する。
【背景技術】
【０００２】
従来より、電磁スイッチは、ソレノイドコイルの内周の軸方向一方側に固定して配される固定鉄心と、ソレノイドコイルの内周に固定鉄心よりも軸方向他方側に配され、ソレノイドコイルへの通電により軸方向一方側に磁気吸引される可動鉄心と、可動鉄心を軸方向他方側に付勢するリターンスプリングと、所定の電気回路に接続され、可動鉄心の軸方向他方側に固定して配される固定接点と、固定接点の軸方向他方側に配され、固定接点に離接することで電気回路を開閉する可動接点と、可動接点を軸方向一方側に付勢する接点圧スプリングと、可動鉄心と可動接点との間に配され、可動鉄心に作用するリターンスプリングの付勢力を可動接点に伝達して可動接点を軸方向他方側に付勢するロッドとを備える。
【０００３】
そして、この電磁スイッチは、ソレノイドコイルに通電が行われると、可動鉄心が軸方向一方側に変位するとともに、可動接点が接点圧スプリングに付勢されて軸方向一方側に変位し、固定接点に当接して電気回路を閉成し、ソレノイドコイルへの通電が停止されると、可動鉄心がリターンスプリングに付勢されて軸方向他方側に変位するとともに、可動接点がロッドに付勢されて軸方向他方側に変位し、固定接点から離脱して電気回路を開成する。
【０００４】
ところで、従来の電磁スイッチによれば、ロッドは、可動鉄心の他端面に設けられた穴に嵌着され、この穴の近傍がロッドに向けてかしめられて固定されている（例えば、特許文献１参照）。つまり、可動鉄心と固定鉄心とは、径方向および軸方向の寸法を同一にできるにもかかわらず、ロッドを嵌着するための穴の有無により別個の部材となる。このため、可動鉄心と固定鉄心とを誤組付けする虞があり、組付け不良率の低減が課題となっている。
【特許文献１】特開２００６−１８５８１６号公報
【発明の開示】
【発明が解決しようとする課題】
【０００５】
本発明は、上記の問題点を解決するためになされたものであり、電磁スイッチにおいて、可動鉄心と固定鉄心との誤組付けによる組付け不良率を低減することにある。
【課題を解決するための手段】
【０００６】
〔請求項１の手段〕
請求項１に記載の電磁スイッチは、ソレノイドコイルの内周の軸方向一方側に固定して配される固定鉄心と、ソレノイドコイルの内周に固定鉄心よりも軸方向他方側に配され、ソレノイドコイルへの通電により軸方向一方側に磁気吸引される可動鉄心と、可動鉄心を軸方向他方側に付勢するリターンスプリングと、所定の電気回路に接続され、可動鉄心の軸方向他方側に固定して配される固定接点と、固定接点の軸方向他方側に配され、固定接点に離接することで電気回路を開閉する可動接点と、可動接点を軸方向一方側に付勢する接点圧スプリングと、可動鉄心と可動接点との間に配され、可動鉄心に作用するリターンスプリングの付勢力を可動接点に伝達して可動接点を軸方向他方側に付勢するロッドとを備える。
【０００７】
そして、ソレノイドコイルに通電が行われると、可動鉄心が軸方向一方側に変位するとともに、可動接点が接点圧スプリングに付勢されて軸方向一方側に変位し、固定接点に当接して電気回路を閉成する。また、ソレノイドコイルへの通電が停止されると、可動鉄心がリターンスプリングに付勢されて軸方向他方側に変位するとともに、可動接点がロッドに付勢されて軸方向他方側に変位し、固定接点から離脱して電気回路を開成する。
そして、この電磁スイッチによれば、固定鉄心と可動鉄心とは、同一形状かつ同一寸法の互換可能な同一物であり、ロッドは、可動接点により軸振れが規制されている。
【０００８】
固定鉄心と可動鉄心とを同一物とすることにより、可動鉄心と固定鉄心とを誤組付けする虞がなくなるので、組付け不良率を大幅に低減することができる。一方、可動鉄心にロッドを嵌着するための穴がなくなり、ロッドを可動鉄心により固定することができなくなるので、可動鉄心に代わって可動接点によりロッドの軸振れを規制する。この結果、固定鉄心と可動鉄心とが同一物となり可動鉄心によりロッドが固定されなくても、可動接点は、可動鉄心に連動して軸方向へ円滑に変位することができる。
【０００９】
〔請求項２の手段〕
請求項２に記載の電磁スイッチによれば、ロッドの他端は、段状に設けられるとともに、可動接点には穴が設けられ、ロッドは、穴にロッドの他端が遊嵌合して可動接点に係合することで、可動接点により軸振れが規制されている。
これにより、可動接点がロッドの軸振れを規制する一方で、ロッドは、段状の他端により可動接点を軸方向一方側から確実に支持することができる。このため、可動接点は、接点圧スプリングの付勢力に抗して、安定的に軸方向に変位することができる。
【００１０】
〔請求項３の手段〕
請求項３に記載の電磁スイッチによれば、可動接点は、内周側に向けてかしめられ、ロッドに固着している。
これにより、ロッドは、さらに強く可動接点に拘束されるので、ロッドの軸触れをより強く規制することができる。
【００１１】
〔請求項４の手段〕
請求項４に記載の電磁スイッチによれば、ロッドは、熱可塑性樹脂を素材として設けられ、ロッドの他端は、穴を貫通して可動接点の軸方向他方側に突出し、突出したロッドの他端が熱かしめされることで、可動接点がロッドに固着している。
これにより、請求項３の手段と同様の効果を得ることができる。
【００１２】
〔請求項５の手段〕
請求項５に記載の電磁スイッチによれば、ロッドは、熱可塑性樹脂を素材として設けられ、可動接点とロッドとは、インサート成型により一体化されている。
これにより、請求項３の手段と同様の効果を得ることができる。
【発明を実施するための最良の形態】
【００１３】
最良の形態１の電磁スイッチは、ソレノイドコイルの内周の軸方向一方側に固定して配される固定鉄心と、ソレノイドコイルの内周に固定鉄心よりも軸方向他方側に配され、ソレノイドコイルへの通電により軸方向一方側に磁気吸引される可動鉄心と、可動鉄心を軸方向他方側に付勢するリターンスプリングと、所定の電気回路に接続され、可動鉄心の軸方向他方側に固定して配される固定接点と、固定接点の軸方向他方側に配され、固定接点に離接することで電気回路を開閉する可動接点と、可動接点を軸方向一方側に付勢する接点圧スプリングと、可動鉄心と可動接点との間に配され、可動鉄心に作用するリターンスプリングの付勢力を可動接点に伝達して可動接点を軸方向他方側に付勢するロッドとを備える。
【００１４】
そして、ソレノイドコイルに通電が行われると、可動鉄心が軸方向一方側に変位するとともに、可動接点が接点圧スプリングに付勢されて軸方向一方側に変位し、固定接点に当接して電気回路を閉成する。また、ソレノイドコイルへの通電が停止されると、可動鉄心がリターンスプリングに付勢されて軸方向他方側に変位するとともに、可動接点がロッドに付勢されて軸方向他方側に変位し、固定接点から離脱して電気回路を開成する。
そして、この電磁スイッチによれば、固定鉄心と可動鉄心とは、同一形状かつ同一寸法の互換可能な同一物であり、ロッドは、可動接点により軸振れが規制されている。
【００１５】
また、この電磁スイッチによれば、ロッドの他端は、段状に設けられるとともに、可動接点には穴が設けられ、ロッドは、穴にロッドの他端が遊嵌合して可動接点に係合することで、可動接点により軸振れが規制されている。
【００１６】
最良の形態２の電磁スイッチによれば、可動接点は、内周側に向けてかしめられ、ロッドに固着している。
最良の形態３の電磁スイッチによれば、ロッドは、熱可塑性樹脂を素材として設けられ、ロッドの他端は、穴を貫通して可動接点の軸方向他方側に突出し、突出したロッドの他端が熱かしめされることで、可動接点がロッドに固着している。
最良の形態４の電磁スイッチによれば、ロッドは、熱可塑性樹脂を素材として設けられ、可動接点とロッドとは、インサート成型により一体化されている。
【実施例１】
【００１７】
〔実施例１の構成〕
実施例１の電磁スイッチ１の構成を、図１を用いて説明する。
電磁スイッチ１は、ソレノイドコイル２の内周の軸方向一方側に固定して配される固定鉄心３と、ソレノイドコイル２の内周に固定鉄心３よりも軸方向他方側に配され、ソレノイドコイル２への通電により軸方向一方側に磁気吸引される可動鉄心４と、可動鉄心４を軸方向他方側に付勢するリターンスプリング５と、所定の電気回路（図示せず）に接続され、可動鉄心４の軸方向他方側に固定して配される固定接点６と、固定接点６の軸方向他方側に配され、固定接点６に離接することで電気回路を開閉する可動接点７と、可動接点７を軸方向一方側に付勢する接点圧スプリング８と、可動鉄心４と可動接点７との間に配され、可動鉄心４に作用するリターンスプリング５の付勢力を可動接点７に伝達して可動接点７を軸方向他方側に付勢するロッド９とを備える。
【００１８】
ここで、電磁スイッチ１の外郭は、底側を一端側とする有底円筒状のヨーク１３の内周に、底側を他端側とする樹脂カバー１４を装着し、ヨーク１３の他端を樹脂カバー１４にかしめて固定することで構成されている。そして、ソレノイドコイル２は、樹脂製のボビン１５に巻線されヨーク１３の底部に組み込まれ、固定鉄心３と可動鉄心４とは、ボビン１５の内周にリターンスプリング５を介して所定の隙間を形成するように配される。また、ソレノイドコイル２の他端には、第２の固定鉄心１６が配され、ヨーク１３、固定鉄心３および可動鉄心４とともに、磁気回路を形成する。また、固定接点６は、樹脂カバー１４の底面に配され、ナット１７によりワッシャ１８、１９を介して固定されている。
【００１９】
以上の構成により、ソレノイドコイル２に通電が行われると、可動鉄心４が軸方向一方側に変位するとともに、可動接点７が接点圧スプリング８に付勢されて軸方向一方側に変位し、固定接点６に当接して電気回路を閉成する。また、ソレノイドコイル２への通電が停止されると、可動鉄心４がリターンスプリング５に付勢されて軸方向他方側に変位するとともに、可動接点７がロッド９に付勢されて軸方向他方側に変位し、固定接点６から離脱して電気回路を開成する。
【００２０】
〔実施例１の特徴〕
実施例１の電磁スイッチ１によれば、固定鉄心３と可動鉄心４とは、同一形状かつ同一寸法の互換可能な同一物であり、ロッド９は、可動接点７により軸振れが規制されている。すなわち、この電磁スイッチ１によれば、ロッド９の他端は、段状に設けられるとともに、可動接点７には穴２２が設けられ、ロッド９は、穴２２にロッド９の他端が遊嵌合して可動接点７に係合することで、可動接点７により軸振れが規制されている。
【００２１】
つまり、ロッド９の他端部２４は、本体部２５よりも小径に設けられ、穴２２を貫通して可動接点７の軸方向他方側に突出し、他端部２４と本体部２５とは、段２６をなして１つのロッド９を構成する。そして、この段２６に可動接点７の一端面２７が当接する。
【００２２】
〔実施例１の効果〕
実施例１の電磁スイッチ１によれば、固定鉄心３と可動鉄心４とは、同一形状かつ同一寸法の互換可能な同一物であり、ロッド９は、可動接点７により軸振れが規制されている。
固定鉄心３と可動鉄心４とを同一物とすることにより、固定鉄心３と可動鉄心４とを誤組付けする虞がなくなるので、組付け不良率を大幅に低減することができる。また、可動接点７によりロッド９の軸振れが規制されるので、可動接点７は、可動鉄心４に連動して軸方向へ円滑に変位することができる。
【００２３】
また、ロッド９の他端は、段状に設けられるとともに、可動接点７には穴２２が設けられ、ロッド９は、穴２２にロッド９の他端が遊嵌合して可動接点７に係合することで、可動接点７により軸振れが規制されている。
これにより、可動接点７がロッド９の軸振れを規制する一方で、ロッド９は、段２６により可動接点７を軸方向一方側から確実に支持することができる。このため、可動接点７は、接点圧スプリング８の付勢力に抗して、安定的に軸方向に変位することができる。
【実施例２】
【００２４】
実施例２の電磁スイッチ１によれば、可動接点７は、図２に示すように、他端面２９のロッド９の近傍で内周側に向けてかしめられ、ロッド９に固着している。
これにより、ロッド９は、さらに強く可動接点７に拘束されるので、ロッド９の軸触れをより強く規制することができる。
【実施例３】
【００２５】
実施例３の電磁スイッチ１によれば、ロッド９は、熱可塑性樹脂を素材として設けられ、ロッド９の他端は、図３に示すように、穴２２を貫通して可動接点７の軸方向他方側に突出し、突出したロッド９の他端が熱かしめされることで、可動接点７がロッド９に固着している。つまり、他端部２４を、穴２２を貫通させて可動接点７の軸方向他方側に突出させ、加熱溶融して固化させる。この結果、ロッド９は、樹脂の固着力によりさらに強く可動接点７に拘束され、ロッド９の軸触れをより強く規制することができる。
【実施例４】
【００２６】
実施例４の電磁スイッチ１によれば、ロッド９は、熱可塑性樹脂を素材として設けられ、可動接点７とロッド９とは、図４に示すように、インサート成型により一体化されている。この結果、さらに可動接点７に作用する樹脂の固着力が強化されるので、ロッド９の軸触れをさらに強く規制することができる。
【００２７】
〔変形例〕
実施例１〜４の電磁スイッチ１によれば、ロッド９の他端に段２６が設けられ、段２６により可動接点７が軸方向に支持されていたが、段２６を設けることなく可動接点７を軸方向に支持することもできる。つまり、ロッド９は、かしめによる固着力や樹脂の固着力等により可動接点７を軸方向に支持することもできる。
【図面の簡単な説明】
【００２８】
【図１】（ａ）は電磁スイッチの断面図であり、（ｂ）はロッドおよび可動接点を示す断面図である（実施例１）。
【図２】ロッドおよび可動接点を示す断面図である（実施例２）。
【図３】ロッドおよび可動接点を示す断面図である（実施例３）。
【図４】ロッドおよび可動接点を示す断面図である（実施例４）。
【符号の説明】
【００２９】
１  電磁スイッチ
２  ソレノイドコイル
３  固定鉄心
４  可動鉄心
５  リターンスプリング
６  固定接点
７  可動接点
８  接点圧スプリング
９  ロッド
２２  穴
【図１】
2008097893.tif 000003
【図２】
2008097893.tif 000004
【図３】
2008097893.tif 000005
【図４】
2008097893.tif 000006